(57)【要約】【課題】本発明の目的は、無線通信装置が要求される通信サービスに応じたＰＬＭＮ選択及びＲＡＴ選択を行うことにある。【解決手段】本発明の無線通信装置は、公衆携帯電話網で無線通信を行う無線通信装置であって、外部機器からの入力または予め登録された中から適用するアプリケーションを選択する適用アプリケーション選択手段と、選択された適用するアプリケーションに対応して得られた選択ＲＡＴ情報と選択Ｂａｎｄ情報を用いてのＰＬＭＮサーチ手段と、ＰＬＭＮ選択リスト作成手段と、位置登録手段と、呼接続手段とを有することを特徴とする。【選択図】  図１
2018085684.tif 000002
【特許請求の範囲】
【請求項１】
公衆携帯電話網で無線通信を行う無線通信装置であって、
外部機器からの入力または予め登録された中から適用するアプリケーションを選択する適用アプリケーション選択手段と、選択された適用するアプリケーションに対応して得られた選択ＲＡＴ情報と選択Ｂａｎｄ情報を用いてのＰＬＭＮサーチ手段と、ＰＬＭＮ選択リスト作成手段と、位置登録手段と、呼接続手段とを有することを特徴とする無線通信装置。
【請求項２】
請求項１に記載の無線通信装置であって、
前記ＰＬＭＮサーチ手段は、選択ＲＡＴ情報及び選択Ｂａｎｄ情報を設定し、受信可能なセルを探索して全候補セルを抽出して選択候補リストを作成して出力し、
前記ＰＬＭＮ選択リスト作成手段は、前記ＰＬＭＮサーチ手段のＰＬＭＮサーチ結果である選択候補リストを前記適用アプリケーションのＲＡＴ優先度に従い並び替え、ＰＬＭＮリストの同一ＲＡＴのＰＬＭＮを品質順に並び替え、ＳＩＭに選択ＰＬＭＮ制限がある場合にはＰＬＭＮリストから制限に応じてリスト順位を変更あるいはＰＬＭＮを削除し、ＰＬＭＮ選択リストを確定し、ＵＥ  Ｃａｐａｂｉｌｉｔｙデータを作成することを特徴とする無線通信装置。
【請求項３】
公衆携帯電話網で無線通信を行う無線通信装置の無線通信方法であって、
適用するアプリケーションを選択し、適用するアプリケーションを選択した結果として得られる選択ＲＡＴ情報と選択Ｂａｎｄ情報を用いてＰＬＭＮサーチを実行してＰＬＭＮ選択リストを作成し、該ＰＬＭＮ選択リストから位置登録を行ってから呼接続することを特徴とする無線通信方法。
【請求項４】
請求項３に記載の無線通信方法であって、
前記ＰＬＭＮサーチは、選択ＲＡＴ情報及び選択Ｂａｎｄ情報を設定し、受信可能なセルを探索して全候補セルを抽出し、選択候補リストを作成し、該選択候補リストを出力し、
前記ＰＬＭＮ選択リスト作成は、前記選択候補リストを前記適用アプリケーションのＲＡＴ優先度に従い並び替え、ＰＬＭＮリストの同一ＲＡＴのＰＬＭＮを品質順に並び替え、ＳＩＭに選択ＰＬＭＮ制限がある場合にはＰＬＭＮリストから制限に応じてリスト順位を変更あるいはＰＬＭＮを削除し、ＰＬＭＮ選択リストを確定し、ＵＥ  Ｃａｐａｂｉｌｉｔｙデータを作成することを特徴とする無線通信方法。
【発明の詳細な説明】
【技術分野】
【０００１】
本発明は、無線通信装置および無線通信方法に関するものである。
【背景技術】
【０００２】
携帯電話等の無線通信装置は、移動局(ユーザ端末、User  Equipment：ＵＥ)として用いられ、任意のＰＬＭＮ(Public  Land  Mobile  Network、公衆携帯電話網)に属する基地局と接続することで、当該ＰＬＭＮに接続し無線通信を行う。
ＵＥではまず電源投入後に、通信を実施するためにＰＬＭＮ との接続を試みる。この時接続するＰＬＭＮについては、複数のＰＬＭＮ から適切なＰＬＭＮを選択し、さらに選択したＰＬＭＮに対して自らの位置を登録することが行われる。
各ＰＬＭＮにおいて、ＵＥとサービスネットワーク間の無線通信は、例えば、ＧＳＭ(登録商標)(Global  System  for Mobile  communications)／ＧＰＲＳ(General  Packet  Radio  Service)方式、ＷＣＤＭＡ(登録商標)(Wideband  Code  Division  Multiple  Access)方式、あるいはＬＴＥ(Long  Term  Evolution)方式などの種々の無線通信のためのＲＡＴ(Radio  Access  Technology、無線アクセス方式)を用いることが可能である。
また、このようなセルラー通信ネットワークにおいては、ＰＬＭＮ毎にＩＤ(Identifier)が付与され、さらにＵＥに適用する加入者識別モジュール(Subscriber  Identity  Module：ＳＩＭ）には、接続するＰＬＭＮの候補のＩＤがリストとして保存されている。
この保存されたＰＬＭＮ ＩＤリスト（選択候補ＰＬＭＮリスト）は、その接続の優先順位に基づいてリスト化されており、ＵＥはこの優先度に従って、接続するＰＬＭＮを選択する。そして、選択したＰＬＭＮにおいて、接続する最適なセル（基地局から電波の届く範囲）を検出し、そのセルにて位置登録を実施する。位置登録後ＵＥはいわゆるアイドル状態に移行するが、アイドル状態に移行する前後で、いくつかのセル選択が実施される。
【０００３】
本ＰＬＭＮ選択やセル選択の動作を図６と、図７を用いて説明する。図６はＰＬＭＮ選択を含むセル選択の状態及び動作の遷移図であり、図７はＰＬＭＮ選択動作を説明するためのフローチャートである。
ＵＥは上述のように電源投入後、ＰＬＭＮ との接続を試みるためＰＬＭＮ選択を行う（６０１）。ＰＬＭＮ選択で選択すべきＰＬＭＮが見つかった場合は、「選択ＰＬＭＮあり」となり、見つからなかった場合は、「選択ＰＬＭＮなし」となる。
ここでＰＬＭＮ選択動作について説明する。ＰＬＭＮ選択とは上述のように複数のＰＬＭＮ から適切なＰＬＭＮを選択することであるが、適用するＳＩＭには、その接続の優先順位に基づいて選択候補ＰＬＭＮリストが保存されている。またＰＬＭＮによっては、複数のＲＡＴに対応している場合があり、かつＵＥも自身が対応できるＲＡＴが複数存在する場合がある。つまり、ＵＥは自身が対応できるＲＡＴを切り替えながら、任意のＰＬＭＮが選択可能かどうかを判断するということが必要となる。
【０００４】
次に、ＵＥ動作について図７を用いて説明する。
ＵＥは、ＰＬＭＮ選択が開始されると（７０１）、まず対応できるＲＡＴのうちの一つを設定する（７０３）。設定したＲＡＴにおいて、各ＰＬＭＮからの制御信号が受信可能なセルを探索する（７０４）。探索の結果、選択可能な全ての候補セルを抽出する（７０５）。ここで、選択可能とは例えば、受信可能な制御信号のレベルが閾値以上であるとする。候補セルが有るか否かを判定し（７０６）、候補セルが存在しない場合（ＮＯ）には設定したＲＡＴで選択可能なセルがなかったということになるので、次のＲＡＴに移行し（７１１）、（７０２）の処理に戻る。（７０６）の判定で候補セルが有る場合（ＹＥＳ）にはそのセルが後述する位置登録失敗ＰＬＭＮリストにあるＰＬＭＮのセルであるかどうかを照合する（７０７）。この照合により位置登録失敗ＰＬＭＮリストにあるＰＬＭＮのセルは候補から除外される。再度、候補セルが有るか否かを判定し（７０８）、候補セルが存在しない場合（ＮＯ）には次のＲＡＴに移行し、（７０２）の処理に戻る。（７０８）の判定で候補セルが有る場合（ＹＥＳ）には（７０９）の処理に進み、複数の選択候補が存在する場合は、接続する優先順位に基づいて保存されているＳＩＭ内の選択候補ＰＬＭＮリストを用いて、候補セルの優先度を判定し（７０９）、その中から一番優先度の高いＰＬＭＮのセルを第１候補として選択する（７１０）。そして「選択ＰＬＭＮ」をＰＬＭＮ選択の結果として出力する（７１１）。（７０２）の処理でＵＥが対応できる全ＲＡＴについて探索が終了していた場合（ＹＥＳ）には、選択するＰＬＭＮが存在しなかったとして、「選択ＰＬＭＮなし」というＰＬＭＮ選択結果を出力する（７１２）。
【０００５】
引き続き図６を用いて動作を説明する。ＵＥは（６０１）で「選択ＰＬＭＮあり」の場合、選択ＰＬＭＮでの保存セル情報の確認を行う（６０２）。（６０１）で「選択ＰＬＭＮなし」の場合、サービス圏外（６０８）に移行する。サービス圏外とはすなわち、選択したＰＬＭＮで通信が出来ない状態ということである。そして（６０２）の処理では当該ＵＥが当該ＰＬＭＮに対して過去に位置登録した実績があり、その時のセル情報が保存されているかどうかを確認する。保存セルがある場合、そのセルの情報、例えば周波数情報やタイミング情報などを利用することにより、接続のためのセル選択を短時間に行うことが可能となる。保存セルがある場合は、「保存セルあり」となり、ない場合は、「保存セルなし」となる。（６０２）で「保存セルあり」の場合、保存セルを対象としたセル選択処理を行う（６０３）。保存セルの中に、この時に選択する条件が整うセルがある場合は、「選択セルあり」となり、ない場合は、「選択セルなし」となる。（６０３）で「選択セルあり」の場合、選択セルにキャンプオンする（６０４）。
選択セルにキャンプオン後、ＵＥは位置登録が必要な場合は位置登録処理を実施し（６０５）、選択したＰＬＭＮに対する位置登録が成功すると、アイドル状態に移行する。なお、キャンプオンとは任意のセルを受信し、そのセルで待機している状態のこととし、位置登録が完了した状態でかつ選択したＰＬＭＮセルにキャンプオンしている状態をアイドル状態と定義する。（６０５）において、位置登録処理が失敗した場合は、位置登録が失敗したＰＬＭＮを位置登録失敗ＰＬＭＮリストに保存（６０７）し、サービス圏外状態（６０８）に移行する。
【０００６】
位置登録失敗ＰＬＭＮリストは、サービス圏外から再度ＰＬＭＮ選択を行う時に、位置登録失敗したＰＬＭＮを再度選択することを防ぐために使用する。また、アイドル状態あるいはキャンプオンのみの状態において、ＵＥは例えば周期的に、あるいはキャンプオンセルの品質劣化などにより「再選択トリガ」が発生すると、セル再選択を行う（６０９）。セル再選択とは、キャンプオンセルの周辺情報によって得られるキャンプオンセルの周辺にあるセルの品質や状態の確認を行い、現在キャンプオンしているセルと比較し、選択セルを決定することである。セル再選択の結果、選択セルがある場合は「選択セルあり」となり、ない場合は「選択セルなし」となる。「選択セルあり」の場合は、その選択セルにおいてアイドル状態もしくはキャンプオンのみの状態に戻る。「選択セルなし」の場合は、サービス圏外（６０８）に移行する。さらに、アイドル状態において、ＵＥはデータ通信が発生すると、アイドル状態を終了し、コネクト状態に移行する（６１０）。データ通信が終了すると、コネクト状態を終了し、アイドル状態に復帰しようとするが、その時にコネクト状態終了時にセル選択を行う（６１１）。コネクト状態終了時にセル選択の結果、選択セルがある場合は「選択セルあり」となり、ない場合は「選択セルなし」となる。選択セルありの場合は、アイドル状態（６０４）に復帰する。「選択セルなし」の場合、すなわちキャンプオンすべきセルが存在しない場合は、新たにキャンプオンすべきセルを見つける必要がある。コネクト状態終了時のセル選択では、キャンプオンすべきセルをネットワークから指示される場合があり、その指示されたセルが選択条件を満たさない場合などに「選択セルなし」となる可能性が有る。新たにキャンプオンすべきセルを見つけるため、（６０３）の保存セル対象セル選択を行う。
（６０２）において保存セルなしの場合、あるいは（６０３）において「選択セルなし」の場合、ＵＥは初期セル選択を行う（６０６）。初期セル選択とはＵＥがその選択したＰＬＭＮにおいて、対応できる全てのセルについて探索を行い（例えば全ての周波数、全てのタイミングなど）、セルの選択を行うことである。初期セル選択の結果、選択セルがある場合は「選択セルあり」となり、ない場合は「選択セルなし」となる。「選択セルあり」の場合は、その選択セルにおいてアイドル状態もしくはキャンプオンのみの状態に戻る。「選択セルなし」の場合は、サービス圏外（６０８）に移行する。
（６０８）のサービス圏外状態になっても、例えば時間経過による選択候補セルの品質向上、あるいはＵＥの移動による無線環境の変化が想定されるため、サービス圏内への復帰のために、周期的、あるいは何らかのトリガにより、再度（６０１）のＰＬＭＮ選択（図１中“１”の遷移）から行う。
【０００７】
次に、図６中の４つのセル選択の動作（（６０３）（６０６）（６０９）（６１１））について説明する。選択したＰＬＭＮを対象に４つのセル選択動作が行われるが、その動作を図８で説明する。
図８はセル選択の基本動作を説明するためのフローチャートである。セル選択が開始される（８０１）と、ＵＥが対応可能なＲＡＴのうちの一つを設定（８０２）し、セル探索の条件を設定する（８０３）。セル探索条件設定とは例えば、（８０３）の保存セル対象セル選択であれば、保存セルそのものを指定（周波数、タイミング、あるいはセルのＩＤなど）し、（６０６）の初期セル設定であれば、ＵＥが対応可能な探索の対象となる全ての周波数やタイミングを指定し、（６０９）のセル再選択であれば、ネットワークから報知される周辺セル情報によって得られる周辺セルの周波数やタイミングを指定し、（６１１）のコネクト状態終了時セル選択であれば、ネットワークから指示された探索すべきセルを指定（周波数、タイミング、あるいはセルのＩＤなど）する。そして指定された条件に基づき受信可能なセルの探索を行う（８０４）。受信可能なセルの中から、制御信号のレベルが閾値以上であるセルを候補セルとして抽出する（８０５）。もし、探索条件が複数ある場合は、全ての組合せでの探索が完了するまで（８０４）（８０５）を繰り返えし（８０６）、完了後そのＲＡＴにおける選択候補を決定する（８０７）。さらに、当該ＵＥが複数のＲＡＴに対応している場合は、全てのＲＡＴについて同様に（８０３）〜（８０７）までを行う（８０８）。そして（８０９）にて各ＲＡＴにおける選択候補の中から最終的な「選択セル」を決定する（８１１）。また、候補セルがない場合には「選択セルなし」とする（８１０）。
【０００８】
ＰＬＭＮ選択において、ＰＬＭＮによっては複数のＲＡＴに対応している場合があり、かつ無線通信装置も自身が対応できるＲＡＴが複数存在する場合がある。つまり、無線通信装置は自身が対応できるＲＡＴを切り替えながら、任意のＰＬＭＮが選択可能かどうかを判断するということが必要となる。
無線通信装置動作の例を図９及び図１０を用いて説明する。図９において、装置が起動されると（９０１）、ＰＬＭＮ選択処理が実施される（９０２）。そしてＰＬＭＮ選択処理結果に従い、位置登録処理が実施される（９０３）。さらには位置登録後、通信サービスを提供するためにネットワークと呼接続を実施し（９０４）、接続中状態となる（９０５）。
【０００９】
次に、ＰＬＭＮ選択処理について、図１０を用いて説明する。図１０においてＰＬＭＮ選択が開始されると（１００１）、まず対応できるＲＡＴのうちの一つを設定する（１００３）。設定したＲＡＴにおいて、各ＰＬＭＮからの制御信号が受信可能なセルを探索する（１００４）。探索の結果、選択可能な全ての候補セルを抽出する（１００５）。ここで、選択可能とは例えば、受信可能な制御信号のレベルが閾値以上であるとする、というようにすることが出来る。仮にこの時点で候補セルが存在しない場合は、設定したＲＡＴで選択可能なセルがなかったということになるので、次のＲＡＴを設定し、探索を実施する（１００２へ）。複数の選択候補が存在する場合は、接続する優先順位に基づいて保存されているＳＩＭ内の選択候補ＰＬＭＮリストを用いて、候補セルの優先度を判定し（１００６）その中から一番優先度の高いＰＬＭＮのセルを第１候補として選択する（１００７）。そして「選択ＰＬＭＮ」をＰＬＭＮ選択の結果として出力する（１００８）。一方（１００５）で候補なしとなった場合、（１００２）ステップに戻るが、ここで無線通信装置が対応できる全ＲＡＴについて探索が終了していた場合は、選択するＰＬＭＮが存在しなかったとして、「選択ＰＬＭＮなし」というＰＬＭＮ選択結果を出力する（１００９）。そして、上述した様に選択したＰＬＭＮにおいて、接続する最適なセルを検出し、そのセルにて位置登録を実施する。
ここで、図９、図１０に示すような従来技術における問題点について説明する。従来技術におけるＰＬＭＮ選択方法では、当該無線通信装置自身が固有に持っている優先ＲＡＴ順にＰＬＭＮ選択が実行され、そこで選択可能なＰＬＭＮが検出されると当該ＰＬＭＮを選択ＰＬＭＮとしてしまうという問題がある。すなわち無線通信装置が行う通信サービスに要求される特徴によらず、無線通信装置固有の優先ＲＡＴ順にＰＬＭＮ選択が実行され、位置登録が実行されてしまう。仮に当該無線通信装置が要求される通信サービスが高速大容量のサービスであった場合でも、例えばＧＳＭ(登録商標)/ＧＰＲＳに代表される２ＧのＲＡＴが優先ＲＡＴとして動作する場合には、２Ｇで位置登録及び通信サービスが実行されてしまい、ユーザに対する利便性という観点では問題がある。
【００１０】
先行技術文献としては、例えば、特許文献１に異なる通信事業者間のローミングサービスを実現する交換機に関する技術が開示されている。
【先行技術文献】
【特許文献】
【００１１】
【特許文献１】特開２０１１−１９１０５号公報
【発明の概要】
【発明が解決しようとする課題】
【００１２】
本発明の目的は、無線通信装置が要求される通信サービスに応じたＰＬＭＮ選択及びＲＡＴ選択を行うことにある。
【課題を解決するための手段】
【００１３】
本発明の無線通信装置は、公衆携帯電話網で無線通信を行う無線通信装置であって、外部機器からの入力または予め登録された中から適用するアプリケーションを選択する適用アプリケーション選択手段と、選択された適用するアプリケーションに対応して得られた選択ＲＡＴ情報と選択Ｂａｎｄ情報を用いてのＰＬＭＮサーチ手段と、ＰＬＭＮ選択リスト作成手段と、位置登録手段と、呼接続手段とを有することを特徴とする。
【００１４】
また、ＰＬＭＮサーチ手段は選択ＲＡＴ情報及び選択Ｂａｎｄ情報を設定し、受信可能なセルを探索して全候補セルを抽出して選択候補リストを作成して出力し、ＰＬＭＮ選択リスト作成手段はＰＬＭＮサーチ手段のＰＬＭＮサーチ結果である選択候補リストを前記適用アプリケーションのＲＡＴ優先度に従い並び替え、ＰＬＭＮリストの同一ＲＡＴのＰＬＭＮを品質順に並び替え、ＳＩＭに選択ＰＬＭＮ制限がある場合にはＰＬＭＮリストから制限に応じてリスト順位を変更あるいはＰＬＭＮを削除し、ＰＬＭＮ選択リストを確定し、ＵＥ  Ｃａｐａｂｉｌｉｔｙデータを作成することが好ましい。
【００１５】
また、本発明の無線通信方法は、公衆携帯電話網で無線通信を行う無線通信装置の無線通信方法であって、適用するアプリケーションを選択し、適用するアプリケーションを選択した結果として得られる選択ＲＡＴ情報と選択Ｂａｎｄ情報を用いてＰＬＭＮサーチを実行してＰＬＭＮ選択リストを作成し、該ＰＬＭＮ選択リストから位置登録を行ってから呼接続することを特徴とする。
【００１６】
さらに、ＰＬＭＮサーチは選択ＲＡＴ情報及び選択Ｂａｎｄ情報を設定し、受信可能なセルを探索して全候補セルを抽出し、選択候補リストを作成し、該選択候補リストを出力し、ＰＬＭＮ選択リスト作成は選択候補リストを適用アプリケーションのＲＡＴ優先度に従い並び替え、ＰＬＭＮリストの同一ＲＡＴのＰＬＭＮを品質順に並び替え、ＳＩＭに選択ＰＬＭＮ制限がある場合にはＰＬＭＮリストから制限に応じてリスト順位を変更あるいはＰＬＭＮを削除し、ＰＬＭＮ選択リストを確定し、ＵＥ  Ｃａｐａｂｉｌｉｔｙデータを作成することが好ましい。
【発明の効果】
【００１７】
本発明によれば、無線通信装置が要求される通信サービスに応じたＰＬＭＮ選択及びＲＡＴ選択を行うことができる。
【図面の簡単な説明】
【００１８】
【図１】本発明の一実施例に係る無線通信装置におけるＰＬＭＮ及びＲＡＴ選択を含む装置起動後の動作フローチャートである。
【図２】本発明の一実施例に係る無線通信装置における適用アプリケーション登録とＲＡＴ選択の概念を説明するための図である。
【図３】本発明の一実施例に係る無線通信装置におけるＰＬＭＮサーチ動作フローチャートである。
【図４】本発明の一実施例に係る無線通信装置におけるＰＬＭＮ選択リスト作成動作フローチャートである。
【図５】接続制限のあるＰＬＭＮが存在した場合の処理の一例を示す図である。
【図６】従来技術におけるＰＬＭＮ選択を含むセル選択の状態及び動作の遷移図である。
【図７】従来技術におけるＰＬＭＮ選択動作を説明するためのフローチャートである。
【図８】セル選択の基本動作を説明するためのフローチャートである。
【図９】従来技術におけるＰＬＭＮ選択を含む装置起動後のフローチャートである。
【図１０】従来技術におけるＰＬＭＮ選択動作フローチャートである。
【図１１】無線通信装置の概要を示すブロック図である。
【発明を実施するための形態】
【００１９】
以下、本発明の実施形態について図面を参照して詳細に説明する。
図１１は無線通信装置の概要を示すブロック図である。
図１１において、無線通信装置１１０は、ＣＰＵ（Central  Processing  Unit）部１１１、ＲＡＭ（Random  Access  Memory）部１１２、メモリ部１１３、操作部１１４、無線部１１５、表示部１１６、ソケット１１７、ＳＩＭ（Subscriber  Identity  Module）１１８、アンテナ１１９で構成されている。
なお、メモリ部１１３は、ＲＯＭ（Read  Only  Memory）であってもよい。
無線通信装置１１０は、アンテナ１１９を介して、図示していない所定の基地局と通信を行う。
【００２０】
ＳＩＭ１１８は、ソケット１１７に対して着脱可能である。このＳＩＭ１１８には、無線通信装置１１０のユーザが契約した通信事業者を識別するための国番号（ＭＣＣ）及び通信事業者番号（ＭＮＣ）等が記憶されている。
ＲＡＭ部１１２は、ＣＰＵ部１１１が各処理を実施する際のデータの一次記憶として使用する。
【００２１】
次に、本発明の一実施例に係る無線通信装置におけるＰＬＭＮ及びＲＡＴ選択方法について、図１〜図５、図１１を用いて説明する。
図１は本発明の一実施例に係るＰＬＭＮ及びＲＡＴ選択を含む装置起動後の動作フローチャートである。
図１において、ＣＰＵ部１１１は、無線通信装置１１０が起動される（１０１）と、まず適用アプリケーションの登録（記憶）及び選択処理を実行する（１０２）。
適用アプリケーションは、メモリ部１１３に登録（記憶）されている。
適用アプリケーションの登録は、例えば、図示していない外部機器から設定することや、予め登録されているアプリケーションから外部機器が選択するなどである。
【００２２】
次に、適用アプリケーションの登録及び選択と、本発明に係るＰＬＭＮ、ＲＡＴ選択の関連について図２を用いて説明する。
図２は本発明の一実施例に係る適用アプリケーション登録とＲＡＴ選択の概念を説明するための図である。
図２に示すように、当該無線通信装置が適用されるアプリケーションとしては、「マルチＰＤＮ（Public  Data  Network）通信」、「高速大容量通信」、「低速小容量通信(欧州)」、「低速小容量通信(北米)」等であるそれぞれのアプリケーションの特徴により、選択するＲＡＴやＢａｎｄなどをある程度決めておくために本適用アプリケーションの登録及び選択処理が実行される。
【００２３】
例えば、複数のＰＤＮと同時に通信を行うようなアプリケーションでは「マルチＰＤＮ通信」機能が必要となるが、ＬＴＥ方式の場合、マルチＰＤＮ通信の実施が容易であるので、「マルチＰＤＮ通信」を必要とするアプリケーションでは選択するＲＡＴとしてはＬＴＥ方式が適当である。
また、高速でかつ大容量のデータを扱う様なアプリケーションでは、より高速な通信方式を適用すべきであり、その場合ＬＴＥ方式やＨＳＰＡに代表される３Ｇ（3rd  Generation）方式が適当である。
【００２４】
一方低速、データ発生頻度が長周期、データ容量も小さいようなアプリケーションではＬＴＥの様な高速大容量の通信方式は冗長であり、３Ｇ方式やＧＳＭ(登録商標)／ＧＰＲＳに代表される２Ｇ方式でも必要十分である。
さらに、当該無線通信装置が実際に使用される地域が「欧州」や「北米」など限定できる場合は、選択するＢａｎｄを限定する。すなわち適用するアプリケーションによりＲＡＴやＢａｎｄを限定することにより、より短時間に、より確実に適切なＲＡＴやＢａｎｄで接続し、通信サービスを提供するために、本処理が有効となる。本処理の結果として適用するアプリケーションによる選択ＲＡＴ情報及び選択Ｂａｎｄ情報を出力する。
【００２５】
引き続き図１を用いて動作を説明する。
ＣＰＵ部１１１は、（１０２）処理で出力された選択ＲＡＴ情報及び選択Ｂａｎｄ情報を用いてＰＬＭＮサーチを実行する（１０３）。
【００２６】
ＰＬＭＮサーチ動作について図３を用いて説明する。
図３は本発明の一実施例に係るＰＬＭＮサーチ動作フローチャートである。
図３において、ＣＰＵ部１１１は、ＰＬＭＮサーチが開始されると（３０１）、（１０２）処理で選択された全ＲＡＴのサーチが実施済みか否かを判定し（３０２）、選択された全ＲＡＴのサーチが実施済み場合（ＹＥＳ）には３０９の処理に進み、選択された全ＲＡＴのサーチが未実施の場合（ＮＯ）には３０３の処理に進む。
ＣＰＵ部１１１は、選択候補なしを含む選択候補リストを出力する（３０９）。
【００２７】
ＣＰＵ部１１１は、選択ＲＡＴ情報及び選択Ｂａｎｄ情報のうちの一つを設定する（３０３）。
ＣＰＵ部１１１は、設定したＲＡＴにおいて、各ＰＬＭＮからの制御信号が受信可能なセルを探索し（３０４）、選択可能な全ての候補セルを抽出する（３０５）。
ここで、選択可能とは例えば、受信可能な制御信号のレベルが予め設定した閾値以上とする。
【００２８】
ＣＰＵ部１１１は、候補セルの有無を判定し（３０６）、候補セルありの場合（ＹＥＳ）には３０７の処理に進み、候補セルなしの場合（ＮＯ）には３０８の処理に進む。
ＣＰＵ部１１１は、次のＲＡＴへ移行し（３０８）、３０２の処理に戻る。
ＣＰＵ部１１１は、候補セルを選択候補ＰＬＭＮリストに保存し（３０７）、３０８の処理に進む。
【００２９】
引き続き図１を用いて動作を説明する。
ＣＰＵ部１１１は、（１０３）処理で出力した選択候補リストを用いてＰＬＭＮ選択リスト作成を実行する（１０４）。
【００３０】
ＰＬＭＮ選択リスト作成の動作について図４を用いて説明する。
図４は本発明の一実施例に係るＰＬＭＮ選択リスト作成動作フローチャートである。
図４において、ＣＰＵ部１１１は、ＰＬＭＮ選択リスト作成が開始されると（４０１）、選択候補リスト(ＰＬＭＮサーチ結果)を、選択した適用アプリケーションのＲＡＴ優先順に従い並べ替える（４０２）。
さらに、ＣＰＵ部１１１は、同一のＲＡＴ内でＰＬＭＮを品質順に並べ替える（４０３）。
【００３１】
一般的に無線通信装置に適用するＳＩＭには、接続禁止を含む接続制限のあるＰＬＭＮの候補のＩＤがリストとして保存されている。
ＣＰＵ部１１１は、ＳＩＭ１１８から接続制限のあるＰＬＭＮ情報を取得し、ＳＩＭ１１８に選択ＰＬＭＮ制限があるか否かを判定し（４０４）、選択ＰＬＭＮに制限がある場合（ＹＥＳ）には４０５の処理に進み、選択ＰＬＭＮに制限がない場合（ＮＯ）には４０６の処理に進む。
【００３２】
ＣＰＵ部１１１は、４０５の処理では、選択候補リストから制限に応じてリスト順位を変更、あるいはＰＬＭＮを削除し、４０６の処理に進む。
【００３３】
４０５処理の詳細について、図５を用いて説明する。
図５は接続制限のあるＰＬＭＮが存在した場合の処理の一例を示す図である。
ＣＰＵ部１１１は、図５（Ａ）のＰＬＭＮリストに禁止ＰＬＭＮのＮｏ．２があるため、Ｎｏ．２を除いた図５（Ｂ）のＰＬＭＮリストを作成する。
【００３４】
引き続き図４を用いて動作を説明する。
ＣＰＵ部１１１は、ＰＬＭＮ選択リストを確定し（４０６）、４０７の処理に進む。
ＣＰＵ部１１１は、ＰＬＭＮ選択リストとして確定したＲＡＴやＢａｎｄ等からＵＥ  Ｃａｐａｂｉｌｉｔｙデータを生成し（４０７）、処理を終了する。
【００３５】
引き続き図１を用いて動作を説明する。
ＣＰＵ部１１１は、ＰＬＭＮ選択リスト、ＵＥ  Ｃａｐａｂｉｌｉｔｙデータを用いて位置登録を実行し（１０５）、１０６の処理に進む。
ＣＰＵ部１１１の位置登録はＰＬＭＮ選択リストの上位から試行され、位置登録が完了するまで実行する。
【００３６】
ＣＰＵ部１１１は、通信サービスを提供するためにネットワークと呼接続を実施し（１０６）、接続中状態となる（１０７）。
【００３７】
本発明の実施形態である無線通信装置は、無線通信装置が要求される通信サービスに応じたＰＬＭＮ選択及びＲＡＴ選択を行うことができる。
【００３８】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００３９】
無線通信装置が要求される通信サービスの特徴を考慮したＰＬＭＮ選択及びＲＡＴ選択を行うことができることによって、対象となる公衆携帯電話網に短時間に、適切に接続する用途に適用できる。
【符号の説明】
【００４０】
１１０：無線通信装置、１１１：ＣＰＵ部、１１２：ＲＡＭ部、１１３：メモリ部、１１４：操作部、１１５：無線部、１１６：表示部、１１７：ソケット、１１８：ＳＩＭ、１１９：アンテナ。
【図１】
2018085684.tif 000003
【図２】
2018085684.tif 000004
【図３】
2018085684.tif 000005
【図４】
2018085684.tif 000006
【図５】
2018085684.tif 000007
【図６】
2018085684.tif 000008
【図７】
2018085684.tif 000009
【図８】
2018085684.tif 000010
【図９】
2018085684.tif 000011
【図１０】
2018085684.tif 000012
【図１１】
2018085684.tif 000013